(57)【要約】      （修正有）【課題】小さな力で打込むことができ、簡単な構成で側方からの土圧に対する耐力を増加させる落石防護網用アンカーを提供する。【解決手段】落石防護網用アンカー１は、前端から地盤に打ち込まれる杭２の後部に側方からの土圧を受ける抵抗板３が固定され、かつ前記杭２の後端部にワイヤロープの固定部４が設けられた落石防護網用アンカー１において、前記杭２は形鋼からなり、この杭２の後部側面と、前記抵抗板３とのそれぞれの接合面は平面状に形成されており、小型の打込機を用いて杭２を打込んだ場合でも、落石防護網用アンカー１の前方への移動量が小さくならず、また、地盤から抵抗板３に伝達された土圧が、接合面に均一に伝達される。【選択図】          図１
2004225492.tif 000002
【特許請求の範囲】
【請求項１】
前端から地盤に打ち込まれる杭の後部に側方からの土圧を受ける抵抗板が固定され、かつ前記杭の後端部にワイヤロープの固定部が設けられた落石防護網用アンカーにおいて、
前記杭は形鋼からなり、
この杭の後部側面と前記抵抗板との接合面が平面状であることを特徴とする落石防護網用アンカー。
【請求項２】
前記杭と前記抵抗板とは、溶接接合されていることを特徴とする請求項１に記載の落石防護網用アンカー。
【請求項３】
前記杭と前記抵抗板にはボルト挿通孔がそれぞれ形成され、ボルトおよびナットにより締結固定されていることを特徴とする請求項１に記載の落石防護網用アンカー。
【請求項４】
前記杭の中間部には、前部を回動可能に取り付けられて、前記杭に対する最大開き角度が鋭角となる回動返し部が設けられていることを特徴とする請求項１から３のいずれかの項に記載の落石防護網用アンカー。
【発明の詳細な説明】
【０００１】
【発明の属する技術分野】
本発明は、打込機によって地盤に打ち込まれる落石防護網用アンカーに関する。
【０００２】
【従来の技術】
図５（Ａ）は従来の落石防護網の斜視構成図、（Ｂ）は同落石防護網の側断面図である。図５（Ａ）、（Ｂ）に示すように、従来の落石防護網７０は、落石の恐れがある斜面７１に設けられている。
【０００３】
斜面７１の上部には、コンクリート杭基礎７２が打設され、このコンクリート杭基礎７２には、下端部を回動可能な支柱７３が、支柱受台（図示せず）を介して設けられている。支柱７３は、施工現場の斜面の傾斜角度に関係なく、水平面に対して所定の角度に回動させて、その下端部を支柱受台に固定することができる。支柱７３によって、上方に配置される吊りロープ７５を浮かせて、周囲の植物等の障害物に接触しにくくしている。
【０００４】
金網７４は、複数の吊りロープ７５によって上部を引っ張られ、また、複数の横ロープ７６によって側部を引っ張られている。吊りロープ７５および横ロープ７６の先端部は、地盤に打ち込まれた落石防護網用アンカー７７の上端部に接続されている。以下、落石防護網用アンカー７７の打込み方向を前方、これに直交する方向を側方として説明する。
【０００５】
落石防護網用アンカー７７は、前端から地盤に打込まれる断面円形のパイプアンカー７８の後部に抵抗板７９を溶接またはＵボルトによって固定している。斜め側方から引っ張られる落石防護網用アンカー７７は、抵抗板７９によって、側方からの土圧を受けている。
【０００６】
このような落石防護網用アンカー７７に用いられるパイプアンカー７８は、内部が空洞になっているが、前端部が先細の円錐状に形成されているので、パイプアンカー７８を土中に打込んだときに、地中の土砂がパイプアンカー７８の内部に入らないように形成されている。
【０００７】
このような構成のパイプアンカー７８の後端部に打撃を加えて地盤に打込むと、パイプアンカー７８が、前側に移動するとともに、パイプアンカー７８の前端部に接触している土砂が、前端部の傾斜面によって側方に移動する。移動した土砂は、側方からパイプアンカー７８の中間部の外周面に圧力を加えることになる。移動する土砂の体積は、パイプアンカー７８の埋設された部分の容積と等しくなる。なお、パイプアンカー７８の下方への移動量は、打撃の強さを強くするほど大きくなる。
【０００８】
近年では、コンクリート杭基礎７２を形成する手間を省くため、コンクリート基礎の代わりにパイプアンカーおよび抵抗板を用いた落石防護網用支柱も開発されている（例えば、特許文献１参照。）。
【０００９】
【特許文献１】
特開平７−２１６８３０号公報  （第２−４頁、第１図）
【００１０】
【発明が解決しようとする課題】
落石防護網用アンカー７７や、特許文献１に記載された落石防護網用支柱に用いられているパイプアンカーは、足場が悪い斜面に打ち込まれるので、これらを埋設する際に現場に大型の重機を持ち込むことができない。このため、パイプアンカーを打ち込むために小型の打込機が用いられている。
【００１１】
そして、落石防護網が設けられる場所の地盤が硬い場合には、打込機の１回の打撃によるパイプアンカーの前方への移動量が小さくなるため、このような小型の打込機の打撃力では打撃の強さを強くすることができないために打込回数が増加し、作業に長時間がかかるという問題がある。
【００１２】
また、パイプアンカーのような円柱状の部材の側面に平板状の抵抗板を固定しようとすると、面接合することができずに線接触となるため、側方から受ける土圧が大きくなると、抵抗板に加わる圧力が接合部分に集中し、抵抗板が折れ曲がってしまうことがある。これを防止するために抵抗板に補強用の部材を多数溶接固定すると、構成が複雑になるという問題が生じる。
【００１３】
そこで本発明が解決しようとする課題は、小さな力で打込むことができ、簡単な構成で側方からの土圧に対する耐力を増加させる落石防護網用アンカーを提供することにある。
【００１４】
【課題を解決するための手段】
本発明の落石防護網用アンカーは、前端から地盤に打ち込まれる杭の後部に側方からの土圧を受ける抵抗板が固定され、かつ前記杭の後端部にワイヤロープの固定部が設けられた落石防護網用アンカーにおいて、前記杭は形鋼からなり、この杭の後部側面と前記抵抗板との接合面が平面状であることを特徴とする。
【００１５】
形鋼からなる杭とは、一定の断面形状を有する形鋼を所定長さで切断して形成した杭で、例えば、溝形綱、山形綱、Ｈ形鋼、Ｔ形鋼、ＣＴ形鋼、Ｉ形鋼の他、長手方向に貫通孔を備えた角形鋼管を用いた杭も含まれるものとする。この形鋼からなる杭の抵抗板に接合する面は、平面状に形成されている。ワイヤロープの固定部は、ワイヤロープを掛合できる構造であればよく、例えば、Ｕボルトを固定して環状の固定部を形成したものの他、棒状の突起が突出しているだけのものも含まれる。
【００１６】
側方とは杭の打込方向（長手方向）に直交する方向をいう。抵抗板は、接合面となる面を側方に向けており、杭に接合する面が平面状であればよく、その他の部分の形状は問わない。また、端部を折り曲げたものも抵抗板に含まれる。
【００１７】
形鋼からなる杭は、断面形状がほぼ一定なので、地盤に打込んだときの土砂の抵抗が少なくなる。また、パイプアンカーのような空洞部が形成されないので、杭に側方から加わる土圧が小さくなる。従って、小型の打込機を用いても、小さい力で十分な深さまで杭を打ち込むことができる。
【００１８】
また、杭と抵抗板との接合面が平面状であるので、接合面積が広くなり、固定部をワイヤロープで側方または斜め側方に引張ったときに、地盤から抵抗板に伝達された土圧は、広い接合面に分散して伝達されるという作用を有する。
【００１９】
前記杭と前記抵抗板とを、溶接接合すると、接合力が強くなり、杭を打込むときに抵抗板が外れることが防止される。
【００２０】
前記杭と前記抵抗板にボルト挿通孔をそれぞれ形成し、ボルトおよびナットにより締結固定すると、杭を地盤に打込んだ後に締結することができるので、杭および抵抗板を分離させた状態で、コンパクトにまとめて現場まで運ぶことができる。
【００２１】
前記杭の中間部に、前部を回動可能に取り付けられて、前記杭に対する最大開き角度が鋭角となる回動返し部を設けると、打込時には、回動返し部の後端部を杭に近接または当接させるように回動し、抵抗が小さい状態で地盤に打込むことができ、また、杭を後方に引張る方向に力が加わったときは、回動返し部の後端部を杭から離反させて、引抜き方向に対する抵抗を大きくするので、抜けにくくなる。
【００２２】
中間部とは、杭の抵抗板より前側であって、断面形状および断面の大きさが同じ部分をいい、例えば、前端部の形状を先細に形成した場合は、この前端部を除いた部分をいう。また、「最大開き角度が鋭角となる」構成は、形鋼杭と回動返し部の基部とを当接させるストッパにより形成することができる。鋭角としたのは、９０°以上になるまで回動させると、土圧により地盤から受ける力に抵抗する力が小さくなるためである。なお、最小開き角度は限定しないが、抵抗を最小にするために０度とすることが好ましい。
【００２３】
回動返し部は、例えば、平板状の部材で形成することができるが、杭の平板部を挟むような溝形状に形成して強度を増加させることが好ましい。
【００２４】
【発明の実施の形態】
以下、本発明の実施の形態について説明する。
（第１の実施の形態）
図１（Ａ）は本発明の第１の実施の形態の落石防護網用アンカーの平面図、（Ｂ）は正面図、（Ｃ）は側面図である。図１に示すように、本発明の落石防護網用アンカー１は、打込機によって地盤に打込まれるＣＴ形鋼からなる形鋼杭２の後部に、側方からの土圧を受ける抵抗板３が固定され、上端部にワイヤロープの固定部４が設けられたものである。なお、以下の説明は、図１（Ｂ）を正面視したときの上側を後側、下側を前側、左側を左側、右側を右側、手前側を一側、奥側を他側として説明する。なお、左右方向と、一側および他側方向は、形鋼杭２の打込方向を基準とすると、いずれも側方であり、左右方向と一側および他側が逆になったものも本発明に含まれる。
【００２５】
形鋼杭２は、一側に配置される一側板部５と、一側板部５の他側面の中央に接続された他側板部６とを備えている。なお、ＣＴ形鋼は、Ｈ形鋼をウェブ部の中心で切断したものであり、一側板部５はＨ形鋼のフランジ部に対応し、他側板部６はウェブ部に対応して、平面視して逆Ｔ字状に形成されている。本実施の形態において、一側板部５の後部の一側面と、抵抗板３の平面部８の他側面の中央部とは、互いに接合されて平面状の接合面となる。
【００２６】
形鋼杭２の後端部には、一側板部５の左右の両側端と、他側板部６の他側端とを結んだ三角形の補強板７が溶接接続されている。打込機による打撃は、補強板７が受けるので、一側板部５および他側板部６の上端部が、打込機から受ける打撃によって変形することが防止される。
【００２７】
また、形鋼杭２の下端部は、一側板部５と他側板部６の交点を頂点として、一側板部５の左右の両側および他側板部６の他側に斜辺部１４〜１６をそれぞれ形成している。形鋼杭２が地盤に打込まれるときには、斜辺部１４〜１６で地中の土砂を両側および後方に移動させるので、斜辺部を形成しない場合のように土砂を前側に押圧することがなくなり、打込時の力が軽減され、また、同じ打込力では、斜辺部１４〜１６を形成した方が、前方への移動量が多くなる。
【００２８】
また、形鋼杭２の平断面積は小さく、側方に移動させる土砂の量は少ないので、形鋼杭２が側方から受ける土圧は小さくなり、形鋼杭２を硬い地盤に小型の打込機を用いて打込んだ場合でも、形鋼杭２の前方への移動量が小さくならず、施工時間が短縮される。
【００２９】
抵抗板３は、矩形板の前側の両角部を斜めに切断した六角形の平面部８と、平面部８の後端部を一側に屈曲させた補強部９とを有している。
【００３０】
抵抗板３および一側板部５は、溶接接合された平面状の接合面を有している。このように抵抗板３と一側板部５とを面接合することによって、抵抗板３の平面部８が受けた土圧を、抵抗板３と一側板部５との平面状の接合面で分散して受けることができ、一側板部５が屈曲してしまうことを防止している。
【００３１】
なお、抵抗板３と一側板部５のそれぞれ接合面となる部分には、４箇所ずつのボルト挿通孔１０，１１がそれぞれ形成されており、溶接固定の代わりに、ボルトおよびナットによって固定することも可能である。
【００３２】
固定部４は、一側板部５の後端部に形成されたボルト挿通孔（図示せず）に挿通されたＵボルト１２およびこのＵボルト１２を固定する複数のナット１３によって構成されている。ワイヤロープは、Ｕボルト１２の内側を挿通させて固定することができる。
【００３３】
固定部４は、一側に突出して設けられており、固定部４に取り付けたワイヤロープを一側に引張ったときにＵボルト１２の両端部に均等に力が加わり、また、平面部８に垂直に土圧が加わるように構成されている。
【００３４】
次いで、落石防護網用アンカー１の使用手順について説明する。落石防護網用アンカー１は、図１に示す状態で、打込機とともに施工現場に運ばれる。形鋼杭２は、同じ長さのパイプアンカーより断面積が小さいので軽量であり、運搬時の負担が軽減される。
【００３５】
施工場所では、まず、落石防護網用アンカー１の抵抗板３の後端から形鋼杭２の後端までの長さより少し深い穴を形成する。
【００３６】
次いで、打込機を穴内にセットして、落石防護網用アンカー１の打込みを開始する。打込機は、圧縮空気によって落石防護網用アンカー１の補強板７に後方から衝撃を与え、補強部９が地面に当接するまで繰り返し打込みを行う。
【００３７】
そして、固定部４にロープを取り付けた後、穴を埋め、落石防護網用アンカー１の全体を地中に埋設する。
このようにして、落石防護網用アンカー１を地盤に固定することができる。
【００３８】
（第２の実施の形態）
図２（Ａ）は本発明の第２の実施の形態の落石防護網用アンカーの正面図、（Ｂ）は側面図である。図２に示すように、第２の実施の形態の落石防護網用アンカー１７は、第１の実施の形態の落石防護網用アンカー１の抵抗板３の代わりに、溝形状の抵抗板１８を用いたものである。なお、形鋼杭１９は、第１の実施の形態の形鋼杭２とは、抵抗板１８を固定するためにボルト挿通孔の位置を変えただけで、他の部分の構造は同一なので、説明は省略する。
【００３９】
抵抗板１８は、溝形綱を所定長さで切断したものであり、平板状の溝底部２０を有している。抵抗板１８の溝底部２０の４箇所にはボルト挿通孔（図示せず）が形成され、また、溝底部２０のボルト挿通孔と重なる位置にある形鋼杭１９の一側板部２１にもボルト挿通孔（図示せず）が形成されている。抵抗板１８の溝底部２０と形鋼杭１９の一側板部２１とは、これらのボルト挿通孔を介して、ボルト２２およびナット２３により締結固定されている。
【００４０】
ボルト２２およびナット２３を用いているので、抵抗板１８は、形鋼杭１９を地盤に打込んだ後に固定することができ、また、固定した後に再度取り外すこともできる。
【００４１】
次いで、落石防護網用アンカー１７の使用手順について説明する。落石防護網用アンカー１７は、抵抗板１８を形鋼杭１９に締結固定する前の状態でそれぞれ別に施工現場に運ぶことができる。複数の抵抗板１８と、複数の形鋼杭１９とをそれぞれまとめて運ぶことができるので、コンパクトにまとめることができ、運搬時の負担が軽減される。
【００４２】
施工場所では、まず、落石防護網用アンカー１７の抵抗板１８の前端から形鋼杭１９の後端までの長さよりも少し深い穴を形成する。
【００４３】
次いで、打込機をセットして穴内に形鋼杭１９の打込みを開始する。打込み作業は、取り付けられる抵抗板１８が、穴の底部に接触しない程度の深さになるまで繰り返し行われる。
【００４４】
そして、形鋼杭１９に抵抗板１８をボルト２２およびナット２３を用いて締結固定して落石防護網用アンカー１７を形成する。
【００４５】
次に、固定部４にロープを取り付けた後、抵抗板１８が埋まるまで、砕石および土砂を二層に充填し、落石防護網用アンカー１７を、後端部を含めて地中に埋設する。そして、充填した砕石および土砂を振動ローラや転圧機等を用いて押し固める。
このようにして、落石防護網用アンカー１７を地盤に固定することができる。落石防護網用アンカー１７の抵抗板１８は溝形綱により形成され、二枚のフランジが一側に突出しているので、引抜きに対する抵抗が大きくなっている。
【００４６】
（第３の実施の形態）
図３（Ａ）は本発明の第３の実施の形態の落石防護網用アンカーの正面図、（Ｂ）は側面図である。図３に示すように、第３の実施の形態の落石防護網用アンカー２４は、第１の実施の形態の落石防護網用アンカー１の形鋼杭２の中間部に、回動返し部２５〜２７を設けたものである。
【００４７】
回動返し部２５，２６は一側板部５の中間部の左右にそれぞれ設けられ、また、回動返し部２７は他側板部６に設けられている。回動返し部２５〜２７の前後方向の取り付け位置は異なるが、形状は同一で、回動角度も同一なので、以下、回動返し部２６についてのみ説明する。
【００４８】
回動返し部２６は、前方から見て溝形に形成され、一側板部５の右端の一部を覆う回動平板部２８と、回動平板部２８の前端および後端にそれぞれ一体的に接続され、一側板部５の前側および後側に配置される回動一側板部２９および回動他側板部３０とを有している。
【００４９】
回動一側板部２９と回動他側板部３０との前部には、軸固定孔（図示せず）が同軸上にそれぞれ貫通して形成され、さらに一側板部５の軸固定孔に重なる位置には軸挿通孔（図示せず）が形成されている。
【００５０】
軸挿通孔には、回動軸３１が挿入され、回動軸３１の両端部は軸固定孔に嵌入して固定されている。回動一側板部２９は、形鋼杭２を前方から見て斜め後方に傾斜している傾斜部３２を有している。また、回動一側板部２９および回動他側板部３０の形状は同一形状に形成されている。
【００５１】
回動返し部２６は、回動軸３１とともに形鋼杭２に対して回動することができる。回動平板部２８の前端部は、一側板部５の側端に当接可能なストッパ部３３を形成している。
【００５２】
図４（Ａ）は第３の実施の形態の落石防護網用アンカーの打込時の状態を示す正面図、（Ｂ）は同落石防護網用アンカーに後方への力が加わった状態を示す正面図である。
【００５３】
図４（Ａ）に示すように、落石防護網用アンカー２４を打込むとき、回動返し部２５〜２７の回動平板部２８は、打込方向に平行となるように配置される。すなわち、回動平板部２８が、図４（Ｂ）に示すように、一側板部５に対して開状態となっているとき、回動平板部２８は傾斜した状態となっており、この状態で地盤に打込むと、回動平板部２８の外側面が後方に力を受け、一側板部５に対して閉じる方向に回動し、一側板部５の側端に平行に配置される。この状態で打込まれるので、回動返し部２５〜２７に加わる土圧は小さくなり、打込みを邪魔することはない。
【００５４】
図４（Ｂ）に示すように、地盤に埋設された落石防護網用アンカー２４を後方に引抜こうとすると、回動一側板部２９および回動他側板部３０の傾斜部３２が前方に押され、回動返し部２５〜２７が開く方向に少し回動する。すると、回動平板部２８の内側面が一側板部５の側端に対して傾斜配置される。落石防護網用アンカー２４をさらに上方に引抜こうとすると、回動平板部２８の内側面も傾斜部３２とともに下方に押されて回動返し部２５〜２７を開く方向に回動させる。回動返し部２５〜２７が所定角度まで回動すると、各回動平板部２８のストッパ部３３が一側板部５の左右の側端および他側板部６の後側端に当接する。このときの回動返し部２５〜２７の形鋼杭２に対する最大開き角度は、例えば、３０〜６０°程度の鋭角となっている。
【００５５】
回動返し部２５〜２７を設けることによって、打込み作業時の抵抗を増加させずに、引抜きに対する抵抗を増加させることができる。
【００５６】
【発明の効果】
本発明によれば次の効果を奏する。
（１）本発明の落石防護網用アンカーは、杭の後部に抵抗板を固定した落石防護網用アンカーにおいて、杭を形鋼で構成したので、杭に側方から加わる土圧が小さくなり、小型の打込機を用いて杭を打込んだ場合でも、前方への移動量が小さくならず、作業を短時間で行うことができる。また、杭と抵抗板との接合面が平面状であるので、地盤から抵抗板に伝達された土圧が接合面に均一に伝達され、破損しにくくなり、簡単な構成で側方からの土圧に対する耐力を増加させることができる。
（２）杭と抵抗板とを、溶接接合すると、接合力が強くなり、杭を打込むときに抵抗板が外れることが防止され、土圧に対する耐力を増加させることができる。（３）杭と抵抗板を、ボルトおよびナットにより締結固定すると、杭を地盤に打込んだ後に締結することができるので、杭および抵抗板を分離させた状態で、コンパクトにまとめて現場まで運ぶことができ、作業の負担が軽減される。
（４）杭の中間部に、下部を回動可能に取り付けられて、杭に対する最大開き角度が鋭角となる回動返し部を設けると、打込時には、回動返し部の後端部を杭に近接または当接させるように回動し、抵抗が小さい状態で地盤に打込むことができ、また、杭に上方から引張る方向に力が加わったときは、回動返し部の後端部を杭から離反させて、引抜き方向に対する抵抗を大きくするので、杭が抜けにくくなり、小さな力で打込むことができるとともに、土圧に対する耐力を増加させることができる。
【図面の簡単な説明】
【図１】（Ａ）は本発明の第１の実施の形態の落石防護網用アンカーの平面図、（Ｂ）は本発明の第１の実施の形態の落石防護網用アンカーの正面図、（Ｃ）は同落石防護網用アンカーの側面図である。
【図２】（Ａ）は本発明の第２の実施の形態の落石防護網用アンカーの正面図、（Ｂ）は同落石防護網用アンカーの側面図である。
【図３】（Ａ）は本発明の第３の実施の形態の落石防護網用アンカーの正面図、（Ｂ）は同落石防護網用アンカーの側面図である。
【図４】（Ａ）は同落石防護網用アンカーの打込時の状態を示す正面図、（Ｂ）は同落石防護網用アンカーの引抜き時の状態を示す正面図である。
【図５】（Ａ）は従来の落石防護網の斜視構成図、（Ｂ）は同落石防護網の側断面図である。
【符号の説明】
１  落石防護網用アンカー
２  形鋼杭
３  抵抗板
４  固定部
５  一側板部
６  他側板部
７  補強板
８  平面部
９  補強部
１０，１１  ボルト挿通孔
１２  Ｕボルト
１３  ナット
１４〜１６  斜辺部
１７  落石防護網用アンカー
１８  抵抗板
１９  形鋼杭
２０  溝底部
２１  一側板部
２２  ボルト
２３  ナット
２４  落石防護網用アンカー
２５〜２７  回動返し部
２８  回動平板部
２９  回動一側板部
３０  回動他側板部
３１  回動軸
３２  傾斜部
３３  ストッパ部
【図１】
2004225492.tif 000003
【図２】
2004225492.tif 000004
【図３】
2004225492.tif 000005
【図４】
2004225492.tif 000006
【図５】
2004225492.tif 000007